(57)【要約】【課題】貯留供給部材から溢れた遊技球を完全に回収できると共に信頼性の高い遊技機を提供する。【解決手段】機構セット盤２０の背面の上端縁部には、左右方向のほぼ両端部に渡って前側斜め上方向に延出された斜面部５０が形成されている。また、この斜面部５０の上端縁部は、上方向に所定長さ延出され、外枠２の内側面との間に小さな隙間を形成する上方延出部５０Ａが形成されている。また、この斜面部５０の左右両端部は、略直角下方向に延出されて、各側壁部５０Ｂが形成されている。これにより、機構セット盤２０の上端面部は、左右方向のほぼ両端部に渡って形成される斜面部５０、上方延出部５０Ａ及び各側壁部５０Ｂにより構成される。また、機構セット盤２０の背面の左右側端縁部及び下端縁部は、所定長さ略直角前側方向に延出されて側壁部２０Ｂが形成されている。【選択図】  図４
2004350757.tif 000002
【特許請求の範囲】
【請求項１】
補給装置から落下する遊技球を受けて貯留し供給する貯留供給部材と、前記貯留供給部材が背面上方部に取り付けられる合成樹脂製の機構セット部材と、を備えた遊技機において、
前記機構セット部材は、該機構セット部材の少なくとも前記貯留供給部材に対向する背面側上端縁部から前側斜め上方に延出される斜面部を有することを特徴とする遊技機。
【請求項２】
前記斜面部は、前記機構セット部材の上端縁部の左右方向両端部に渡って形成されていること特徴とする請求項１に記載の遊技機。
【請求項３】
前記機構セット部材は、前記貯留供給部材が取り付けられる背面上端縁部に左右方向外側端縁部の少なくとも一方から該貯留供給部材に対向する位置まで左右方向内側にいくに従って低くなるように上方に延出される延出部と、
前記延出部の上端縁部から前側方向に延出される傾斜案内部と、を有することを特徴とする請求項１又は請求項２に記載の遊技機。
【請求項４】
前記貯留供給部材は、供給口が形成される平面視左右方向に長い略長四角形の底面部と、
前記底面部の前記機構セット部材に対向しない三辺から上方に延出される水平視略コの字形の側壁部と、を有することを特徴とする請求項１乃至請求項３のいずれかに記載の遊技機。
【発明の詳細な説明】
【０００１】
【発明の属する技術分野】
本発明は、合成樹脂製の機構セット部材の背面上方部に、補給装置から落下する遊技球を受けて貯留し供給する貯留供給部材が取り付けられた遊技機に関するものである。
【０００２】
【従来の技術】
従来より、合成樹脂製の機構セット部材の背面上方部に、補給装置から落下する遊技球を受けて貯留し供給する貯留供給部材が取り付けられた遊技機に関し種々提案されている。
例えば、遊技機本体の裏側に、遊技球を貯留し供給する貯留供給部材と、遊技球を適数個払い出し可能な払い出し手段とを備え、前記貯留供給部材の供給口から供給される遊技球を前記払い出し手段へと案内する左右方向の案内通路を前後に二列備えた遊技機において、前記貯留供給部材の底壁に、前記各案内通路に対応し且つ左右方向に長い２個の前記供給口と、該両供給口間に設けられ且つ各供給口側に遊技球を振り分ける振り分け部とを備え、該各供給口の開口幅を、遊技球が幅方向に１個宛通過し得るように、遊技球の直径よりも大で且つ直径の２倍未満に設定した遊技機が提案されている（例えば、特許文献１参照。）。これにより、貯留供給部材の供給口から案内通路側へと遊技球を一列状に供給でき、供給口近傍でのブリッジ現象等による球詰まりを防止できる。
【０００３】
【特許文献１】
特許３０２９６０９号公報（段落（００１５）〜（００１９）、図２〜図４）
【０００４】
【発明が解決しようとする課題】
しかしながら、上述した遊技機では、貯留供給部材が上端縁部に取り付けられる裏機構盤の上端面部と該裏機構盤が取り付けられる前枠の上端面部とは、略水平面を形成するため、貯留供給部材に遊技球を補給する際にこの水平面上に遊技球が落下した場合には、外枠の内側面とこの水平面との間に遊技球が滞留して、貯留供給部材から溢れた遊技球を完全に回収することができず、紛失状態の遊技球が発生するという問題がある。また、この水平面に滞留した遊技球を回収するためには、ホール作業員が前枠を遊技者側に開放して手作業で回収する必要があるため、作業効率が悪いという問題がある。また、この水平面に滞留した遊技球が遊技中の振動によって転動落下して電気部品などに接触した場合には、短絡等の故障原因になる虞があるという問題がある。
【０００５】
そこで、本発明は、上述した問題点を解決するためになされたものであり、貯留供給部材が取り付けられた機構セット部材の上端面部に遊技球が滞留することを防止し、貯留供給部材から溢れた遊技球を完全に回収できると共に信頼性の高い遊技機を提供することを目的とする。
【０００６】
【課題を解決するための手段】
前記目的を達成するため請求項１に係る遊技機は、補給装置から落下する遊技球を受けて貯留し供給する貯留供給部材と、前記貯留供給部材が背面上方部に取り付けられる合成樹脂製の機構セット部材と、を備えた遊技機において、前記機構セット部材は、該機構セット部材の少なくとも前記貯留供給部材に対向する背面側上端縁部から前側斜め上方に延出される斜面部を有することを特徴とする。
【０００７】
このような特徴を有する請求項１に係る遊技機においては、合成樹脂製の機構セット部材の背面上方部に、補給装置から落下する遊技球を受けて貯留し供給する貯留供給部材が取り付けられている。また、この機構セット部材の貯留供給部材に対向する背面側上端縁部から前側斜め上方に延出される斜面部が設けられている。
これにより、補給装置から貯留供給部材に供給された遊技球が飛び跳ねたり、溢れて機構セット部材の上端面側に転がっても、この機構セット部材の貯留供給部材に対向するように設けられた斜面部に滞留し、該貯留供給部材内の遊技球の減少に伴って該斜面部に沿って貯留供給部材側に転がって落下するため、機構セット部材の上端面部に遊技球が滞留することを防止し、貯留供給部材から溢れた遊技球を確実に貯留供給部材内に回収することが可能となる。また、遊技球の補給時に溢れた遊技球は、この斜面部に沿って貯留供給部材内に転動落下する可能性が高くなり、遊技球の補給効率の向上を図ることができる。また、裏面部に配置された電気部品にカバー部材が設けられていない場合においても、遊技球の補給時に溢れた遊技球は、この斜面部に沿って貯留供給部材内に転動落下するため、遊技球の補給時に溢れた遊技球が遊技中の振動によって転動落下して裏面部に配置される電気部品に接触して発生する短絡等を防止することができる。
【０００８】
また、請求項２に係る遊技機は、請求項１に記載の遊技機において、前記斜面部は、前記機構セット部材の上端縁部の左右方向両端部に渡って形成されていること特徴とする。
【０００９】
このような特徴を有する請求項２に係る遊技機では、機構セット部材の上端縁部から前側斜め上方に延出された斜面部は、この機構セット部材の上端縁部の左右方向両端部に渡って形成されているため、補給装置から貯留供給部材に供給された遊技球が貯留供給部材の左右前側方向に跳ね飛んでも、この斜面部に当たって、機構セット部材の裏側方向に転動落下し、該機構セット部材の上端面部に遊技球が滞留することを確実に防止し、貯留供給部材から溢れた遊技球を完全に回収することができる。また、従来、貯留供給部材から飛び跳ねて機構セット部材の上端面部に滞留した遊技球をホール作業員が手作業で取り除いていたメインテナンス作業を確実に廃止することができ、遊技機の維持管理費の削減化を図ることができる。更に、貯留供給部材への遊技球の補給時に、機構セット部材の上端面部に遊技球が滞留することを確実に防止でき、遊技中に遊技球が転動落下して電気部品などに接触することを防止でき、遊技機の信頼性の向上を図ることができる。
【００１０】
また、請求項３に係る遊技機は、請求項１又は請求項２に記載の遊技機において、前記機構セット部材は、前記貯留供給部材が取り付けられる背面上端縁部に左右方向外側端縁部の少なくとも一方から該貯留供給部材に対向する位置まで左右方向内側にいくに従って低くなるように上方に延出される延出部と、前記延出部の上端縁部から前側方向に延出される傾斜案内部と、を有することを特徴とする。
【００１１】
このような特徴を有する請求項３に係る遊技機では、機構セット部材の上端面部に左右方向外側端縁部の少なくとも一方から貯留供給部材に対向する位置まで該貯留供給部材側が低くなるように形成された傾斜案内部が形成されているため、補給装置から貯留供給部材に供給された遊技球が貯留供給部材の左右前側方向に跳ね飛んで、機構セット部材の上端面部に乗っても、この傾斜案内部に沿って貯留供給部材側に転がってくる。
これにより、遊技球の補給時に貯留供給部材の左右前側方向に跳ね飛んだ遊技球を、傾斜案内部及び斜面部を経て貯留供給部材内に回収することが可能となり、遊技球の補給効率の更なる向上を図ることができる。また、貯留供給部材の左右前側方向に跳ね飛んだ遊技球が、機構セット部材の裏側方向に転動落下するのを防止することが可能となり、該遊技球が転動落下して電気部品などに接触することを防止でき、遊技機の更なる信頼性の向上を図ることができる。
【００１２】
更に、請求項４に係る遊技機は、請求項１乃至請求項３のいずれかに記載の遊技機において、前記貯留供給部材は、供給口が形成される平面視左右方向に長い略長四角形の底面部と、前記底面部の前記機構セット部材に対向しない三辺から上方に延出される水平視略コの字形の側壁部と、を有することを特徴とする。
【００１３】
このような特徴を有する請求項４に係る遊技機では、貯留供給部材は、供給口が形成される平面視左右方向に長い略長四角形の底面部と、この底面部の機構セット部材に対向しない三辺から上方に延出される水平視略コの字形の側壁部とから形成されるため、該貯留供給部材を樹脂成形によって容易に形成することができ、製造コストの削減化を図ることができる。また、機構セット部材側の側壁部がないため、機構セット部材の上端縁部に形成される斜面部と貯留供給部材の上端部との取り付け位置関係の位置精度を低くすることが可能となり、遊技機の製造コストの削減化及び組立作業効率の向上を図ることができる。
【００１４】
【発明の実施の形態】
以下、本発明に係る遊技機をパチンコ機について具体化した第１実施形態乃至第８実施形態を図面を参照して詳細に説明する。
先ず、第１実施形態に係るパチンコ機の概略構成について図１及び図２に基づき説明する。
図１及び図２に示すように、第１実施形態に係るパチンコ機は、所定量のパチンコ球を賞球として払い出す、いわゆる第１種パチンコ機で、一般にＣＲ機（カードリーディング機）と称され、パチンコ機１とカード式球貸機３５とによって構成され、これらは対をなして設置される。パチンコ機１は、木製の外枠２に対して木製の内枠３が、内枠取付用ヒンジを構成する上ヒンジ４及び下ヒンジ５を介して外枠２に対して開閉自在に取り付けられている。そして、この内枠３のほぼ上半分の前側には、合成樹脂製の前面カバー部材７が左端縁部の上下を軸支されて開閉自在に取付けられている。また、この前面カバー部材７のほぼ中央部には略円形の窓部（不図示）が開設され、この窓部の外周縁部に形成されるガラス保持枠に装着された２枚のガラスを通して遊技領域を見ることができるように構成されている。また、前面カバー部材７の窓部の上側及び両肩部には、フルカラーの発光ダイオード（ＬＥＤ）が内蔵され、「当たり」等の発生を報知したり遊技中に光演出や遊技中のエラーを表示する電飾ランプ８が取付けられている。
【００１５】
また、この前面カバー部材７の下側には、パチンコ球の払い出しを調節する払い出しソレノイド等が内装された賞球ケース１０を介して払い出される賞球を受ける上皿１１が合成樹脂製プレート１２に配設されている。また、このプレート１２は、左端縁部の上下を軸支されて、前面カバー部材１０を開放後、内側に設けられた不図示のレバーを下げることにより開放できるように取付けられている。また、この上皿１１の中央前面部には、カード式球貸機３５の操作ボタン及びカード残高表示装置（不図示）が設けられている。そして、その上皿１１の下には、下皿１４が配設される。また、上皿１１に連通する不図示の球送り機構を介して上皿１１のパチンコ球が操作ハンドル１５に連結された発射装置１６へ送られるよう構成されている。
【００１６】
また、この内枠３のほぼ中央部には不図示の遊技盤が着脱自在なように鉄板等の金属製の機構盤１８が取り付けられている。そして、この機構盤１８の裏側には合成樹脂製の機構セット盤２０が開閉自在に蝶番により取り付けられている。
また、パチンコ機１の裏側の背面上方部には、上方に開口した賞球タンク２１が機構セット盤２０に固定されている。賞球タンク２１の直上には補給装置２２が配設され、吐出部２２Ａが垂直に降りている。賞球タンク２１は、傾斜した底面に連通孔２１Ａ（図５参照）が形成され、その連通孔２１Ａの下方にはパチンコ球を１列に整列流出し、賞球ケース１０にパチンコ球を送る通路を形成するタンクレール２３が取付けられている。尚、賞球タンク２１は、機構セット盤２０の背面側上端縁部よりも少し下側に固定されているが、該賞球タンク２１の上端部を機構セット盤２０の背面側上端縁部の位置に合わせて固定してもよい。
【００１７】
また、賞球ケース１０へパチンコ球を案内する賞球案内部２４内には、タンクレール２３の下流側のパチンコ球を送る１列の賞球通路が形成されている。
また、賞球ケース１０内には、賞球案内部２４内の賞球通路を通過するパチンコ球を確認する球有り検出スイッチやパチンコ球の払い出しを調節する払い出しソレノイドが内装されている。そして、これら賞球タンク２１、タンクレール２３、賞球案内部２４、賞球ケース１０等により賞球及び貸球の払い出しシステムが構成されている。
そして、賞球ケース１０の下流側には排出部が形成され、入賞球を排出する入賞球排出通路２６及び下皿オーバーフロースイッチ（不図示）が内装された下皿排出路２７が下端部下方に形成されている。また、この下皿排出路２７を介して上皿１１から溢れた賞球を受けて下皿１４に案内する下部受皿ボックス２８が内枠３の裏側に取り付けられている。
【００１８】
また、タンクレール２３の下側には液晶表示装置（ＬＣＤ）等をカバーする合成樹脂製のセンターカバー３０が取付けられている。そして、このセンターカバー３０の背面部内側には、ＬＣＤ等を駆動制御する表示制御基板３０Ａ、スピーカ等を駆動制御する音制御基板３０Ｂ、及び電飾ランプ８等を駆動制御するランプ制御基板３０Ｃが取り付けられている。また、センターカバー３０の下側には、パチンコ機１の遊技動作を制御する主基板が内蔵される基板ケース３１が配設されている。また、この基板ケース３１の右下には電源基板が内蔵される電源基板ケース３２が配設されている。また、この電源基板ケース３２の上方に配設されるインタフェース基板３３とカード式球貸機３５の背面のコネクタ３６とは、接続コード３７により相互に接続されている。
さらに、機構セット盤２０の上方角部（図１中、右上角部）には、中継基板３９が設けられている。この中継基板３９は、パチンコ機１とホールコンピュータをつなぐ基板である。
【００１９】
次に、機構セット盤２０の概略構成について図３及び図４に基づいて説明する。
図３及び図４に示すように、機構セット盤２０は、機構盤１８に取り付けられた不図示の遊技盤の裏面に対向する部分に略四角形の開口部２０Ａが開設されている。また、開口部２０Ａの左側の背面部には、センターカバー３０を取り付けるための各取付ボス４１が裏側方向に立設され、この各取付ボス４１にはネジ孔が形成されている。
また、開口部２０Ａの上側の背面部には、左右方向にほぼ等間隔で断面略Ｌ字形の各係合爪Ｓが裏側方向に立設されている。また、開口部２０Ａの左右方向略中央部の上側の背面部には、取付ボス４２が立設され、この取付ボス４２にはネジ孔が形成されている。そして、タンクレール２３は、下端縁部が各係合爪Ｓによって支持されると共に、上端縁部の略中央部が取付ボス４２にネジ止めされて取り付けられている。
【００２０】
また、取付ボス４２の左右斜め上側の背面部には、各取付ボス４３が上下方向に２個ずつ裏側方向に立設され、この各取付ボス４３にはネジ孔が形成されている。そして、賞球タンク２１は、左右端縁部が各取付ボス４３にネジ止めされて取り付けられている。また、機構セット盤２０の上方角部（図４中、右上角部）には、正面視略横長四角形のリブ部４５が立設され、このリブ部４５上に中継基板３９が配設される。
また、開口部２０Ａの右側背面部には、各取付ボス４７が裏側方向に立設され、この各取付ボス４７にはネジ孔が形成されている。そして、各取付ボス４７を介して賞球案内部２４や賞球ケース１０が取り付けられると共に、入賞球排出通路２６や下皿排出路２７を形成するカバー部材がネジ止めされて取り付けられている。
【００２１】
また、機構セット盤２０の背面の上端縁部には、左右方向のほぼ両端部に渡って前側斜め上方向（図３及び図４中、紙面裏側斜め上方向）に延出された斜面部５０が形成されている。また、この斜面部５０の上端縁部は、上方向に所定長さ延出され、外枠２の内側面との間に小さな隙間（パチンコ球の直径よりも小さい隙間で、好ましい隙間間隔は約１ｍｍ〜５ｍｍである。）を形成する上方延出部５０Ａが形成されている。また、この斜面部５０の左右両端部は、略直角下方向に延出されて、各側壁部５０Ｂが形成されている。これにより、機構セット盤２０の上端面部は、左右方向のほぼ両端部に渡って形成される斜面部５０、上方延出部５０Ａ及び各側壁部５０Ｂにより構成される。また、機構セット盤２０の背面の左右側端縁部及び下端縁部は、所定長さ略直角前側方向に延出されて側壁部２０Ｂが形成されている。また、この側壁部２０Ｂの前側方向の端面部は、機構盤１８の背面部に当接されるように構成されている。
【００２２】
次に、このように構成された機構セット盤２０を取り付けた場合に、パチンコ球の補給時の機構セット盤２０の上端面部におけるパチンコ球の転動落下状態の一例を図５に基づいて説明する。
図５に示すように、機構セット盤２０の上端面を形成する斜面部５０は、該機構セット盤２０の背面部の上端縁部からほぼ機構盤１８の背面に対向する位置まで前側斜め上方向に延出されている。また、この斜面部５０の上端縁部から上方向に延出された上方延出部５０Ａは、外枠２の内側面近傍まで達している。これにより、機構盤１８の上端面と外枠２の内側面との間に形成される隙間の後側（図５中、右側）は、この斜面部５０及び上方延出部５０Ａによって覆われている。
従って、補給装置２２から賞球タンク２１にパチンコ球Ｐを補給する際に、機構盤１８の上端面と外枠２の内側面との隙間の方向に飛び跳ねたパチンコ球Ｐは、上方延出部５０Ａ又は斜面部５０に当たり、該上方延出部５０Ａ及び斜面部５０を転動落下し、賞球タンク２１内やパチンコ機１の裏側に落下する。
【００２３】
ここで、賞球タンク２１は、貯留供給部材として機能する。また、機構セット盤２０は、機構セット部材として機能する。また、上方延出部５０Ａ及び斜面部５０は、斜面部を構成する。また、連通孔２１Ａは、供給口として機能する。
【００２４】
以上説明した通り第１実施形態に係るパチンコ機１では、補給装置２２から賞球タンク２１にパチンコ球Ｐが供給された際に、飛び跳ねて機構セット盤２０の上端面部に転がったパチンコ球Ｐは、該機構セット盤２０の上端面部を形成する上方延出部５０Ａ及び斜面部５０を転動落下し、賞球タンク２１内やパチンコ機１の裏側に落下する。また、補給装置２２から賞球タンク２１にパチンコ球Ｐが供給された際に、溢れて機構セット盤２０の上端面部に滞留したパチンコ球Ｐは、この賞球タンク２１内のパチンコ球Ｐの減少に伴って該機構セット盤２０の上端面部を形成する上方延出部５０Ａ及び斜面部５０に沿って賞球タンク２１内に転動落下する。
【００２５】
これにより、補給装置２２から賞球タンク２１に供給されたパチンコ球Ｐが賞球タンク２１の左右前側方向に跳ね飛んでも、機構セット盤２０の上端面部を形成する上方延出部５０Ａや斜面部５０に当たって、機構セット盤２０の裏側方向に転動落下し、該機構セット盤２０や機構盤１８の上端面部にパチンコ球Ｐが滞留することを確実に防止することができる。また、賞球タンク２１の上方の斜面部５０や上方延出部５０Ａに滞留したパチンコ球Ｐは、賞球タンク２１内のパチンコ球Ｐの減少に伴って該賞球タンク２１内に転動落下するため、パチンコ球Ｐの補給効率の向上を図ることができると共に、補給時に溢れたパチンコ球Ｐが遊技中の振動等によって転動落下して電気部品などに接触することを防止することができ、パチンコ機１の信頼性の向上を図ることができる。また、従来、賞球タンク２１から飛び跳ねて機構盤１８や機構セット盤２０の上端面部に滞留したパチンコ球Ｐをホール作業員が手作業で取り除いていたメインテナンス作業を確実に廃止することができ、パチンコ機１の維持管理費の削減化を図ることができる。
【００２６】
（第２実施形態）
次に、第２実施形態に係るパチンコ機について図６乃至図８に基づいて説明する。尚、上記第１実施形態に係るパチンコ機１と同一符号は、上記第１実施形態に係るパチンコ機１と同一あるいは相当部分を示すものである。
この第２実施形態に係るパチンコ機の概略構成は、第１実施形態に係るパチンコ機１の構成とほぼ同じ構成である。但し、第２実施形態に係るパチンコ機の機構セット盤の構成は、後述のように第１実施形態に係るパチンコ機１の機構セット盤２０の構成と異なっている。
【００２７】
ここで、第２実施形態に係るパチンコ機５５（図８参照）の機構セット盤の概略構成について図６及び図７に基づいて説明する。
図６及び図７に示すように、機構セット盤６０は、機構盤１８に取り付けられた不図示の遊技盤の裏面に対向する部分に略四角形の開口部２０Ａが開設されている。また、開口部２０Ａの左側の背面部には、センターカバー３０を取り付けるための各取付ボス４１が裏側方向に立設され、この各取付ボス４１にはネジ孔が形成されている。
また、開口部２０Ａの上側の背面部には、左右方向にほぼ等間隔で断面略Ｌ字形の各係合爪Ｓが裏側方向に立設されている。また、開口部２０Ａの左右方向略中央部の上側の背面部には、取付ボス４２が立設され、この取付ボス４２にはネジ孔が形成されている。そして、タンクレール２３は、下端縁部が各係合爪Ｓによって支持されると共に、上端縁部の略中央部が取付ボス４２にネジ止めされて取り付けられている。
【００２８】
また、取付ボス４２の左右斜め上側の背面部には、各取付ボス４３が上下方向に２個ずつ裏側方向に立設され、この各取付ボス４３にはネジ孔が形成されている。そして、賞球タンク２１は、左右端縁部が各取付ボス４３にネジ止めされて取り付けられている。また、機構セット盤６０の上方角部（図６中、右上角部）には、正面視略横長四角形のリブ部４５が立設され、このリブ部４５上に中継基板３９が配設される。
また、開口部２０Ａの右側背面部には、各取付ボス４７が裏側方向に立設され、この各取付ボス４７にはネジ孔が形成されている。そして、各取付ボス４７を介して賞球案内部２４や賞球ケース１０が取り付けられると共に、入賞球排出通路２６や下皿排出路２７を形成するカバー部材がネジ止めされて取り付けられている。
【００２９】
また、機構セット盤６０の背面の上端縁部には、この上端縁部の右端部から賞球タンク２１の上側開口部の右端部に対向する位置まで左右方向内側（図６中、左右方向左側）にいくに従って低くなるように上方に延出される壁部６１が形成されている。また、この壁部６１の上端縁部から略直角前側方向に延出される傾斜案内部６２が形成されている。この傾斜案内部６２の左右方向外側端縁部と外枠２の内側面との間に形成される隙間間隔は、パチンコ球Ｐの直径よりも大きい方が好ましい。これにより、傾斜案内部６２の上面部と外枠２の内側面との間にパチンコ球Ｐが挟持されるの防止することができる。
また、機構セット盤６０の背面の上端縁部の壁部６１の左側端縁部からこの上端縁部の左端部に渡って前側斜め上方向（図６及び図７中、紙面裏側斜め上方向）に延出された斜面部６３が形成されている。この斜面部６３の上端縁部の高さは、傾斜案内部６２の左端縁部の高さとほぼ同じ高さになるように形成されている。
【００３０】
また、この斜面部６３の上端縁部と傾斜案内部６２の前側端縁部は、上方向に延出され、外枠２の内側面との間にほぼ一定の小さな隙間（パチンコ球の直径よりも小さい隙間で、好ましい隙間間隔は約１ｍｍ〜５ｍｍである。）を形成する上方延出部６４が形成されている。また、傾斜案内部６２の長手方向両端縁部と斜面部６３の左端縁部は、略直角下方向に延出されて、各側壁部６５が形成されている。これにより、機構セット盤６０の上端面部は、壁部６１、傾斜案内部６２、斜面部６３、上方延出部６４及び各側壁部６５により構成される。
また、機構セット盤６０の背面の左右側端縁部及び下端縁部は、所定長さ略直角前側方向に延出されて側壁部２０Ｂが形成されている。また、この側壁部２０Ｂの端面部は、機構盤１８の背面部に当接されるように構成されている。
尚、傾斜案内部６２は、壁部６１の上端縁部から略直角前側方向に延出されて形成されているが、該壁部６１の上端縁部から直角よりも少し小さい角度をなすように延出して形成してもよい。これにより、傾斜案内部６２上に乗ったパチンコ球Ｐは、上方延出部６４側に転がりつつ斜面部６３側に転がるため、賞球タンク２１内に転動落下する確率が高くなる。
【００３１】
次に、このように構成された機構セット盤６０を取り付けた場合に、パチンコ球補給時の機構セット盤６０の上端面部におけるパチンコ球の転動落下状態の一例を図８に基づいて説明する。
図８に示すように、機構セット盤６０の上端面部は、壁部６１、傾斜案内部６２、斜面部６３、上方延出部６４及び各側壁部６５により構成される。また、この上方延出部６４は、外枠２の内側面近傍まで達している。これにより、機構盤１８の上端面と外枠２の内側面との間に形成される隙間の後側（図８中、紙面に垂直上方向側）は、壁部６１、傾斜案内部６２、斜面部６３及び上方延出部６４によって覆われている。
従って、補給装置２２から賞球タンク２１にパチンコ球Ｐを補給する際に、機構盤１８の上端面と外枠２の内側面との隙間の賞球タンク２１に対向する部分の方向に飛び跳ねたパチンコ球Ｐは、上方延出部６４又は斜面部６３に当たり、該上方延出部６４及び斜面部６３を矢印Ａ方向に転動落下し、賞球タンク２１内に落下する。また、補給装置２２から賞球タンク２１にパチンコ球Ｐを補給する際に、機構盤１８の上端面と外枠２の内側面との隙間の賞球タンク２１の外側右方向に飛び跳ねたパチンコ球Ｐは、壁部６１に当たった場合は、パチンコ機５５の後側方向に落下し、上方延出部６４又は傾斜案内部６２に当たった場合は、該傾斜案内部６２及び斜面部６３を矢印Ｂ方向に転動落下し、賞球タンク２１内に落下する。
【００３２】
ここで、賞球タンク２１は、貯留供給部材として機能する。また、機構セット盤６０は、機構セット部材として機能する。また、上方延出部６４及び斜面部６３は、斜面部を構成する。また、壁部６１は、延出部を構成する。また、傾斜案内部６２と上方延出部６４は、傾斜案内部を構成する。
【００３３】
以上説明した通り第２実施形態に係るパチンコ機５５では、補給装置２２から賞球タンク２１にパチンコ球Ｐが供給された際に、飛び跳ねて機構セット盤６０の上端面部に転がったパチンコ球Ｐは、該機構セット盤６０の上端面部を形成する上方延出部６４、傾斜案内部６２、及び斜面部６３を転動落下し、賞球タンク２１内に落下する。一方、補給装置２２から賞球タンク２１にパチンコ球Ｐが供給された際に、飛び跳ねて機構セット盤６０の上端面部を形成する壁部６１に当たったパチンコ球Ｐは、パチンコ機５５の裏側に落下する。また、補給装置２２から賞球タンク２１にパチンコ球Ｐが供給された際に、溢れて機構セット盤６０の上端面部に滞留したパチンコ球Ｐは、この賞球タンク２１内のパチンコ球Ｐの減少に伴って該機構セット盤６０の上端面部を形成する上方延出部６４及び斜面部６３に沿って賞球タンク２１内に転動落下する。
【００３４】
これにより、補給装置２２から賞球タンク２１に供給されたパチンコ球Ｐが賞球タンク２１の左右前側方向に跳ね飛んでも、機構セット盤６０の上端面部を形成する上方延出部６４、傾斜案内部６２、及び斜面部６３に当たって、賞球タンク２１内に転動落下する可能性がより高くなるため、該機構セット盤６０や機構盤１８の上端面部にパチンコ球Ｐが滞留することを確実に防止することができると共に、パチンコ球Ｐの補給効率の更なる向上を図ることができる。また、機構セット盤６０の傾斜案内部６２に乗ったパチンコ球Ｐは、該傾斜案内部６２及び斜面部６３を経て賞球タンク２１内に転動落下するため、賞球タンク２１の左右前側方向に跳ね飛んだパチンコ球Ｐが、機構セット盤６０の裏側方向に転動落下するのを防止することが可能となり、該パチンコ球Ｐが転動落下して電気部品などに接触することを防止でき、パチンコ機５５の更なる信頼性の向上を図ることができる。また、従来、賞球タンク２１から飛び跳ねて機構盤１８や機構セット盤６０の上端面部に滞留したパチンコ球Ｐをホール作業員が手作業で取り除いていたメインテナンス作業を確実に廃止することができ、パチンコ機５５の維持管理費の削減化を図ることができる。
【００３５】
（第３実施形態）
次に、第３実施形態に係るパチンコ機について説明する。尚、上記第１実施形態に係るパチンコ機１と同一符号は、上記第１実施形態に係るパチンコ機１と同一あるいは相当部分を示すものである。
この第３実施形態に係るパチンコ機の概略構成は第１実施形態に係るパチンコ機１の構成とほぼ同じ構成である。但し、第３実施形態に係るパチンコ機の賞球タンクの構成は、後述のように第１実施形態に係るパチンコ機１の賞球タンク２１の構成と異なっている。
【００３６】
ここで、第３実施形態に係るパチンコ機の賞球タンクの概略構成について図９及び図１０に基づいて説明する。
図９及び図１０に示すように、パチンコ機７１の賞球タンク７２は、上方に開口した略箱体をなすものであり、機構セット盤２０の背面上端縁部に各取付ボス４３を介してネジ止めにより取り付けられている。また、この賞球タンク７２の底面部７３は、平面視左右方向に長い略長四角形に形成され、底面部７３の左端部にタンクレール２３の左端部に連通する連通孔７２Ａが形成されている。また、賞球タンク７２の機構セット盤２０の背面部に当接される前側壁部７４は、該機構セット盤２０に取り付けた際に、底面部７３と機構セット盤２０の背面上端縁部との間の略中間位置の高さになるように上方に延出されている。また、この底面部７３の左右側縁部及び後側縁部から上方に延出される左側壁部７５、右側壁部７６、及び後側壁部７７は、賞球タンク７２を該機構セット盤２０に取り付けた際に、斜面部５０のほぼ上端部に対向する位置の高さになるように上方に延出されている。
また、図９に示すように、機構セット盤２０の上端面を形成する斜面部５０は、該機構セット盤２０の背面部の上端縁部からほぼ機構盤１８の背面に対向する位置まで前側斜め上方向に延出されている。また、この斜面部５０の上端縁部から上方向に延出された上方延出部５０Ａは、外枠２の内側面近傍まで達している。これにより、機構盤１８の上端面と外枠２の内側面との間に形成される隙間の後側（図９中、右側）は、この斜面部５０及び上方延出部５０Ａによって覆われている。
【００３７】
ここで、賞球タンク７２は、貯留供給部材として機能する。また、機構セット盤２０は、機構セット部材として機能する。また、上方延出部５０Ａ及び斜面部５０は、斜面部を構成する。また、連通孔７２Ａは、供給口として機能する。
【００３８】
従って、第３実施形態に係るパチンコ機７１では、補給装置２２から賞球タンク７２に供給されたパチンコ球Ｐが賞球タンク７２の左右前側方向に跳ね飛んでも、各側壁部７５、７６に当たって賞球タンク７２内に落下すると共に、機構セット盤２０の上端面部を形成する上方延出部５０Ａや斜面部５０に当たって賞球タンク７２内に落下するため、該機構セット盤２０や機構盤１８の上端面部にパチンコ球Ｐが滞留することを確実に防止することができる。また、補給装置２２から供給されたパチンコ球Ｐは、底面部７３、各側壁部７４、７５、７６、７７、後側壁部７７に対向する機構セット盤２０の背面部、及び斜面部５０によって囲まれる空間内に貯留されるため、該賞球タンク７２の大型化を容易に図ることができる。また、斜面部５０や上方延出部５０Ａに滞留したパチンコ球Ｐは、賞球タンク７２内のパチンコ球Ｐの減少に伴って該賞球タンク７２内に転動落下するため、パチンコ球Ｐの補給効率の向上を図ることができると共に、補給時に溢れたパチンコ球Ｐが遊技中の振動等によって転動落下して電気部品などに接触することを防止することができ、パチンコ機７１の信頼性の向上を図ることができる。また、従来、賞球タンクから飛び跳ねて機構盤１８や機構セット盤２０の上端面部に滞留したパチンコ球Ｐをホール作業員が手作業で取り除いていたメインテナンス作業を確実に廃止することができ、パチンコ機７１の維持管理費の更なる削減化を図ることができる。
【００３９】
（第４実施形態）
次に、第４実施形態に係るパチンコ機について説明する。尚、上記第１実施形態に係るパチンコ機１と同一符号は、上記第１実施形態に係るパチンコ機１と同一あるいは相当部分を示すものである。
この第４実施形態に係るパチンコ機の概略構成は第１実施形態に係るパチンコ機１の構成とほぼ同じ構成である。但し、第４実施形態に係るパチンコ機の賞球タンクの構成は、後述のように第１実施形態に係るパチンコ機１の賞球タンク２１の構成と異なっている。
【００４０】
ここで、第４実施形態に係るパチンコ機の賞球タンクの概略構成について図１１及び図１２に基づいて説明する。
図１１及び図１２に示すように、パチンコ機８１の賞球タンク８２は、平面視左右方向に長い略長四角形に形成される底面部８３と、該底面部８３の機構セット盤２０に当接されない左右側縁部及び後側縁部から上方に延出される平面視略コの字形の側壁部８４とから構成されている。即ち、賞球タンク８２は、上記第１実施形態に係るパチンコ機１の賞球タンク２１の機構セット盤２０に当接される前側壁部が切り欠かれた形状に構成されている。従って、この賞球タンク８２は、機構セット盤２０の背面上端縁部に各取付ボス４３を介してネジ止めにより取り付けられることによって、該機構セット盤２０と協働して上方に開口した略箱体を形成する。
また、底面部８３の左端部にタンクレール２３の左端部に連通する連通孔８２Ａが形成され、賞球タンク８２内に貯留されるパチンコ球Ｐが該連通孔８２Ａを介してタンクレール２３の左端部に供給される。
また、図１１に示すように、機構セット盤２０の上端面を形成する斜面部５０は、該機構セット盤２０の背面部の上端縁部からほぼ機構盤１８の背面に対向する位置まで前側斜め上方向に延出されている。また、この斜面部５０の上端縁部から上方向に延出された上方延出部５０Ａは、外枠２の内側面近傍まで達している。これにより、機構盤１８の上端面と外枠２の内側面との間に形成される隙間の後側（図１１中、右側）は、この斜面部５０及び上方延出部５０Ａによって覆われている。
【００４１】
ここで、賞球タンク８２は、貯留供給部材として機能する。また、機構セット盤２０は、機構セット部材として機能する。また、上方延出部５０Ａ及び斜面部５０は、斜面部を構成する。また、連通孔８２Ａは、供給口として機能する。
【００４２】
従って、第４実施形態に係るパチンコ機８１では、賞球タンク８２は、底面部８３と、該底面部８３の機構セット盤２０に当接されない左右側縁部及び後側縁部から上方に延出される平面視略コの字形の側壁部８４とから構成されるため、この賞球タンク８２を樹脂成形によって容易に形成することができ、製造コストの削減化を図ることができる。また、賞球タンク８２の機構セット盤２０側の側壁部が無いため、機構セット盤２０の上端縁部に形成される斜面部５０と賞球タンク８２の上端部との取り付け位置関係の位置精度を低くすることが可能となり、パチンコ機８１の製造コストの削減化及び組立作業効率の向上を図ることができる。
【００４３】
また、補給装置２２から賞球タンク８２に供給されたパチンコ球Ｐが賞球タンク８２の左右前側方向に跳ね飛んでも、機構セット盤２０の上端面部を形成する上方延出部５０Ａや斜面部５０に当たって、機構セット盤２０の裏側方向に転動落下し、該機構セット盤２０や機構盤１８の上端面部にパチンコ球Ｐが滞留することを確実に防止することができる。また、賞球タンク８２の上方の斜面部５０や上方延出部５０Ａに滞留したパチンコ球Ｐは、賞球タンク８２内のパチンコ球Ｐの減少に伴って該賞球タンク８２内に転動落下するため、パチンコ球Ｐの補給効率の向上を図ることができると共に、補給時に溢れたパチンコ球Ｐが遊技中の振動等によって転動落下して電気部品などに接触することを防止することができ、パチンコ機８１の信頼性の向上を図ることができる。また、従来、賞球タンクから飛び跳ねて機構盤１８や機構セット盤２０の上端面部に滞留したパチンコ球Ｐをホール作業員が手作業で取り除いていたメインテナンス作業を確実に廃止することができ、パチンコ機８１の維持管理費の削減化を図ることができる。
【００４４】
（第５実施形態）
次に、第５実施形態に係るパチンコ機について図１３に基づいて説明する。尚、上記第１実施形態に係るパチンコ機１と同一符号は、上記第１実施形態に係るパチンコ機１と同一あるいは相当部分を示すものである。
この第５実施形態に係るパチンコ機の概略構成は第１実施形態に係るパチンコ機１の構成とほぼ同じ構成である。但し、第５実施形態に係るパチンコ機は、図１３に示すように、上記木製の内枠３、機構盤１８及び機構セット盤２０に替えて、これらが樹脂成形により一体成形された前枠９１により形成されている点で異なっている。
図１３に示すように、この前枠９１の背面部９１Ａの上端縁部には、賞球タンク２１がネジ止め等により取り付けられている。また、この前枠９１の背面部９１Ａの上端縁部から左右方向のほぼ両端部に渡って前側斜め上方向（図１３中、紙面裏側斜め上方向）に延出された斜面部９２が形成されている。
これにより、第５実施形態に係るパチンコ機では、補給装置２２から賞球タンク２１にパチンコ球Ｐが供給された際に、飛び跳ねて斜面部９２上に転がったパチンコ球Ｐは、該斜面部９２を転動落下し、賞球タンク２１内やパチンコ機の裏側に落下する。また、補給装置２２から賞球タンク２１にパチンコ球Ｐが供給された際に、溢れて斜面部９２に滞留したパチンコ球Ｐは、この賞球タンク２１内のパチンコ球Ｐの減少に伴って該斜面部９２に沿って賞球タンク２１内に転動落下する。
【００４５】
ここで、賞球タンク２１は、貯留供給部材として機能する。また、前枠９１は、機構セット部材として機能する。また、斜面部９２は、斜面部を構成する。
【００４６】
従って、補給装置２２から賞球タンク２１に供給されたパチンコ球Ｐが賞球タンク２１の左右前側方向に跳ね飛んでも、前枠９１の背面部９１Ａの上端面部を形成する斜面部９２に当たって、前枠９１の裏側方向に転動落下し、該斜面部９２と外枠２の内側面との隙間にパチンコ球Ｐが滞留することを確実に防止することができる。また、賞球タンク２１の上方の斜面部９２に滞留したパチンコ球Ｐは、賞球タンク２１内のパチンコ球Ｐの減少に伴って該賞球タンク２１内に転動落下するため、パチンコ球Ｐの補給効率の向上を図ることができると共に、補給時に溢れたパチンコ球Ｐが遊技中の振動等によって転動落下して電気部品などに接触することを防止することができ、パチンコ機の信頼性の向上を図ることができる。また、従来、賞球タンク２１から飛び跳ねて機構盤１８や機構セット盤２０の上端面部に滞留したパチンコ球Ｐをホール作業員が手作業で取り除いていたメインテナンス作業を確実に廃止することができ、パチンコ機の維持管理費の削減化を図ることができる。
【００４７】
（第６実施形態）
次に、第６実施形態に係るパチンコ機について図１４に基づいて説明する。尚、上記第５実施形態に係るパチンコ機と同一符号は、上記第５実施形態に係るパチンコ機と同一あるいは相当部分を示すものである。
この第６実施形態に係るパチンコ機の概略構成は第５実施形態に係るパチンコ機の構成とほぼ同じ構成である。但し、第６実施形態に係るパチンコ機は、図１４に示すように、上記賞球タンク２１に替えて賞球タンク９５が取り付けられている点で異なっている。
図１４に示すように、賞球タンク９５は、上方に開口した略箱体をなすものであり、前枠９１の背面部９１Ａの上端縁部にネジ止め等により取り付けられている。また、この賞球タンク９５の底面部９６は、平面視左右方向に長い略長四角形に形成され、底面部９６の左端部にタンクレールの左端部に連通する連通孔９５Ａが形成されている。また、賞球タンク９５の背面部９１Ａに当接される前側壁部９７は、該賞球タンク９５を該前枠９１に取り付けた際に、背面部９１Ａの上端縁部よりも下側に位置するように底面部９６から上方に演出されている。また、この底面部９６の左右側縁部及び後側縁部の３辺から上方に延出される側壁部９８は、該賞球タンク９５を該前枠９１に取り付けた際に、斜面部９２のほぼ上端部に対向する位置の高さになるように上方に延出されている。
【００４８】
ここで、賞球タンク９５は、貯留供給部材として機能する。また、前枠９１は、機構セット部材として機能する。また、斜面部９２は、斜面部を構成する。また、連通孔９５Ａは、供給口として機能する。
【００４９】
従って、第６実施形態に係るパチンコ機では、補給装置２２から賞球タンク９５に供給されたパチンコ球Ｐが賞球タンク９５の左右前側方向に跳ね飛んでも、側壁部９８の左右内側面に当たって賞球タンク９５内に落下すると共に、前枠９１の斜面部９２に当たって賞球タンク９５内に落下するため、前枠９１の背面部９１Ａの上端面部にパチンコ球Ｐが滞留することを確実に防止することができる。また、補給装置２２から供給されたパチンコ球Ｐは、底面部９６、各側壁部９７、９８及び側壁部９８に対向する斜面部９２とに囲まれる空間内に貯留されるため、該賞球タンク９５の大型化を容易に図ることができる。また、斜面部９２に滞留したパチンコ球Ｐは、賞球タンク９５内のパチンコ球Ｐの減少に伴って該賞球タンク９５内に転動落下するため、パチンコ球Ｐの補給効率の向上を図ることができると共に、補給時に溢れたパチンコ球Ｐが遊技中の振動等によって転動落下して電気部品などに接触することを防止することができ、パチンコ機の信頼性の向上を図ることができる。また、従来、賞球タンクから飛び跳ねて前枠９１の背面部９１Ａの上端面部に滞留したパチンコ球Ｐをホール作業員が手作業で取り除いていたメインテナンス作業を確実に廃止することができ、パチンコ機の維持管理費の更なる削減化を図ることができる。
【００５０】
（第７実施形態）
次に、第７実施形態に係るパチンコ機について図１５に基づいて説明する。尚、上記第６実施形態に係るパチンコ機と同一符号は、上記第６実施形態に係るパチンコ機と同一あるいは相当部分を示すものである。
この第７実施形態に係るパチンコ機の概略構成は第６実施形態に係るパチンコ機の構成とほぼ同じ構成である。但し、第７実施形態に係るパチンコ機は、図１５に示すように、上記賞球タンク９５に替えて賞球タンク１０１が取り付けられている点で異なっている。
図１５に示すように、賞球タンク１０１は、上記賞球タンク９５とほぼ同じ構成であるが、前側壁部９７が切り欠かれた形状に構成されている。従って、この賞球タンク１０１は、前枠９１の背面部９１Ａの上端縁部にネジ止め等により取り付けられることによって、前枠９１の背面部９１Ａ及び斜面部９２と協働して上方に開口した略箱体を形成する。
【００５１】
ここで、賞球タンク１０１は、貯留供給部材として機能する。また、前枠９１は、機構セット部材として機能する。また、斜面部９２は、斜面部を構成する。また、連通孔９５Ａは、供給口として機能する。また、側壁部９８は、側壁部として機能する。
【００５２】
従って、第７実施形態に係るパチンコ機では、賞球タンク１０１は、底面部９６と、該底面部９６の背面部９１Ａに当接されない左右側縁部及び後側縁部から上方に延出される平面視略コの字形の側壁部９８とから構成されるため、この賞球タンク１０１を樹脂成形によって容易に形成することができ、製造コストの削減化を図ることができる。また、賞球タンク１０１の背面部９１Ａ側の前側壁部が無いため、背面部９１Ａの上端縁部に形成される斜面部９２と賞球タンク１０１の上端部との取り付け位置関係の位置精度を低くすることが可能となり、パチンコ機の製造コストの削減化及び組立作業効率の向上を図ることができる。
また、補給装置２２から賞球タンク１０１に供給されたパチンコ球Ｐが賞球タンク１０１の左右前側方向に跳ね飛んでも、側壁部９８の左右内側面に当たって賞球タンク１０１内に落下すると共に、前枠９１の斜面部９２に当たって賞球タンク１０１内に落下するため、前枠９１の背面部９１Ａの上端面部にパチンコ球Ｐが滞留することを確実に防止することができる。また、補給装置２２から供給されたパチンコ球Ｐは、底面部９６、側壁部９８及び側壁部９８に対向する背面部９１Ａ及び斜面部９２によって囲まれる空間内に貯留されるため、該賞球タンク１０１の大型化を容易に図ることができる。また、斜面部９２に滞留したパチンコ球Ｐは、賞球タンク１０１内のパチンコ球Ｐの減少に伴って該賞球タンク１０１内に転動落下するため、パチンコ球Ｐの補給効率の向上を図ることができると共に、補給時に溢れたパチンコ球Ｐが遊技中の振動等によって転動落下して電気部品などに接触することを防止することができ、パチンコ機の信頼性の向上を図ることができる。また、従来、賞球タンクから飛び跳ねて前枠９１の背面部９１Ａの上端面部に滞留したパチンコ球Ｐをホール作業員が手作業で取り除いていたメインテナンス作業を確実に廃止することができ、パチンコ機の維持管理費の更なる削減化を図ることができる。
【００５３】
（第８実施形態）
次に、第８実施形態に係るパチンコ機について図１６に基づいて説明する。尚、上記第２実施形態に係るパチンコ機５５と同一符号は、上記第２実施形態に係るパチンコ機５５と同一あるいは相当部分を示すものである。
この第８実施形態に係るパチンコ機の概略構成は第２実施形態に係るパチンコ機５５の構成とほぼ同じ構成である。但し、第８実施形態に係るパチンコ機は、図１６に示すように、上記木製の内枠３、機構盤１８及び機構セット盤６０に替えて、これらが樹脂成形により一体成形された前枠１０５により形成されている点で異なっている。
【００５４】
図１６に示すように、前枠１０５の背面部１０５Ａの左側上端部には、賞球タンク２１がネジ止め等により取り付けられている。また、この前枠１０５の背面部１０５Ａの該賞球タンク２１に対向する上端縁部のほぼ全幅に渡って前側斜め上方向（図１６中、紙面裏側斜め上方向）に延出された斜面部１０６が形成されている。
一方、この背面部１０５の賞球タンク２１より右側の上端縁部には、左右方向外側にいくに従って高くなるように上方に延出される壁部１０５Ｂが形成されている。また、この壁部１０５Ｂの左端縁部は、斜面部１０６の上端縁部の高さにほぼ等しい高さまで上方に延出されている。そして、この壁部１０５Ｂの上端縁部から略直角前側方向に延出される傾斜案内部１０７が形成されている。また、傾斜案内部１０７の長手方向左端縁部は、略直角下方向に延出されて、側壁部１０８が形成されている。これにより、背面部１０５Ａの上端面部は、斜面部１０６、側壁部１０８及び傾斜案内部１０７により構成される。
尚、この傾斜案内部１０７の右側端縁部と外枠２の内側面との間に形成される隙間間隔は、パチンコ球Ｐの直径よりも大きい方が好ましい。これにより、傾斜案内部１０７の上面部と外枠２の内側面との間にパチンコ球Ｐが挟持されるの防止することができる。
【００５５】
続いて、このように構成された前枠１０５を取り付けた場合に、パチンコ球補給時の背面部１０５Ａの上端面部におけるパチンコ球の転動落下状態の一例について説明する。図１６に示すように、補給装置２２から賞球タンク２１にパチンコ球Ｐを補給する際に、賞球タンク２１に対向する斜面部１０６方向に飛び跳ねたパチンコ球Ｐは、斜面部１０６に当たり、該斜面部１０６を矢印１１０方向に転動落下し、賞球タンク２１内に落下する。また、補給装置２２から賞球タンク２１にパチンコ球Ｐを補給する際に、賞球タンク２１の外側右方向に飛び跳ねたパチンコ球Ｐは、壁部１０５Ｂに当たった場合は、パチンコ機の後側方向に落下し、傾斜案内部１０７に当たった場合は、該傾斜案内部１０７及び斜面部１０６を矢印１１１方向に転動落下し、賞球タンク２１内に落下する。
【００５６】
ここで、賞球タンク２１は、貯留供給部材として機能する。また、前枠１０５は、機構セット部材として機能する。また、斜面部１０６は、斜面部を構成する。また、壁部１０５Ｂは、延出部を構成する。また、傾斜案内部１０７は、傾斜案内部を構成する。
【００５７】
従って、補給装置２２から賞球タンク２１に供給されたパチンコ球Ｐが賞球タンク２１の左右前側方向に跳ね飛んでも、前枠１０５の背面部１０５Ａの上端面部を形成する斜面部１０６、側壁部１０８及び傾斜案内部１０７に当たって、賞球タンク２１内に転動落下する可能性がより高くなるため、該背面部１０５Ａの上端面部にパチンコ球Ｐが滞留することを確実に防止することができると共に、パチンコ球Ｐの補給効率の更なる向上を図ることができる。また、傾斜案内部１０７に乗ったパチンコ球Ｐは、該傾斜案内部１０７及び斜面部１０６を経て賞球タンク２１内に転動落下するため、賞球タンク２１の左右前側方向に跳ね飛んだパチンコ球Ｐが、前枠１０５の裏側方向に転動落下するのを防止することが可能となり、該パチンコ球Ｐが転動落下して電気部品などに接触することを防止でき、パチンコ機の更なる信頼性の向上を図ることができる。また、従来、賞球タンクから飛び跳ねて前枠１０５の背面部１０５Ａの上端面部に滞留したパチンコ球Ｐをホール作業員が手作業で取り除いていたメインテナンス作業を確実に廃止することができ、パチンコ機の維持管理費の更なる削減化を図ることができる。
【００５８】
尚、本発明は、前記第１実施形態乃至第８実施形態に限定されるものではなく、本発明の要旨を逸脱しない範囲内で種々の改良、変形が可能であることは勿論である。例えば、以下のようにしてもよい。
（Ａ）前記第５実施形態では、斜面部９２上にはリブなどを立設していないが、図１７に示すように、賞球タンク２１の左右端縁部に対向する位置に斜面部９２の前後方向のほぼ全幅に渡って厚さ寸法の薄い（パチンコ球の直径よりも小さい厚さ寸法が好ましい。）各リブ１１５を上方に立設してもよい。これにより、賞球タンク２１に対向する斜面部９２に乗ったパチンコ球Ｐは、確実に賞球タンク２１内に転動落下するため、前枠９１の裏側に転動落下するパチンコ球Ｐをより少なくすることが可能となる。
（Ｂ）前記第１実施形態乃至第８実施形態では、各賞球タンク２１、７２、８２、９５、１０１は、各機構セット盤２０、６０又は各前枠９１、１０５の背面上端縁部の左側部分に取り付けたが、該背面上端縁部の略中央位置や右側部分に取り付けてもよい。これにより、パチンコ機の設計自由度を高くすることができる。
（Ｃ）前記第４実施形態では、賞球タンク８２の側壁部８４は、底面部８３の側縁部から機構セット盤２０の上端縁部に対向する高さまで上方に延出されているが、斜面部５０の上端縁部に対向する高さまで上方に延出してもよい。これにより、賞球タンク８２の大型化を容易に図ることができると共に、パチンコ球Ｐの補給時に斜面部５０側に飛び跳ねたパチンコ球Ｐのパチンコ機８１の裏側方向へ転動落下するのを防止することができ補給効率の向上を図ることができる。
【００５９】
【発明の効果】
以上説明した通り請求項１に係る遊技機では、合成樹脂製の機構セット部材の背面上方部に、補給装置から落下する遊技球を受けて貯留し供給する貯留供給部材が取り付けられている。また、この機構セット部材の貯留供給部材に対向する背面側上端縁部から前側斜め上方に延出される斜面部が設けられている。
これにより、補給装置から貯留供給部材に供給された遊技球が飛び跳ねたり、溢れて機構セット部材の上端面側に転がっても、この機構セット部材の貯留供給部材に対向するように設けられた斜面部に滞留し、該貯留供給部材内の遊技球の減少に伴って該斜面部に沿って貯留供給部材側に転がって落下するため、機構セット部材の上端面部に遊技球が滞留することを防止し、貯留供給部材から溢れた遊技球を確実に貯留供給部材内に回収することが可能な遊技機を提供することができる。また、遊技球の補給時に溢れた遊技球は、この斜面部に沿って貯留供給部材内に転動落下する可能性が高くなり、遊技球の補給効率の向上を図ることができる遊技機を提供することができる。また、裏面部に配置された電気部品にカバー部材が設けられていない場合においても、遊技球の補給時に溢れた遊技球は、この斜面部に沿って貯留供給部材内に転動落下するため、遊技球の補給時に溢れた遊技球が遊技中の振動によって転動落下して裏面部に配置される電気部品に接触して発生する短絡等を防止することができる遊技機を提供することができる。
【００６０】
また、請求項２に係る遊技機では、機構セット部材の上端縁部から前側斜め上方に延出された斜面部は、この機構セット部材の上端縁部の左右方向両端部に渡って形成されているため、補給装置から貯留供給部材に供給された遊技球が貯留供給部材の左右前側方向に跳ね飛んでも、この斜面部に当たって、機構セット部材の裏側方向に転動落下し、該機構セット部材の上端面部に遊技球が滞留することを確実に防止し、貯留供給部材から溢れた遊技球を完全に回収することができる遊技機を提供することができる。また、従来、貯留供給部材から飛び跳ねて機構セット部材の上端面部に滞留した遊技球をホール作業員が手作業で取り除いていたメインテナンス作業を確実に廃止することができ、遊技機の維持管理費の削減化を図ることができる遊技機を提供することができる。更に、貯留供給部材への遊技球の補給時に、機構セット部材の上端面部に遊技球が滞留することを確実に防止して、遊技中に遊技球が転動落下して電気部品などに接触することを防止でき、信頼性の高い遊技機を提供することができる。
【００６１】
また、請求項３に係る遊技機では、機構セット部材の上端面部に左右方向外側端縁部の少なくとも一方から貯留供給部材に対向する位置まで該貯留供給部材側が低くなるように形成された傾斜案内部が形成されているため、補給装置から貯留供給部材に供給された遊技球が貯留供給部材の左右前側方向に跳ね飛んで、機構セット部材の上端面部に乗っても、この傾斜案内部に沿って貯留供給部材側に転がってくる。
これにより、遊技球の補給時に貯留供給部材の左右前側方向に跳ね飛んだ遊技球を、傾斜案内部及び斜面部を経て貯留供給部材内に回収することが可能となり、遊技球の補給効率の更なる向上を図ることができる遊技機を提供することができる。また、貯留供給部材の左右前側方向に跳ね飛んだ遊技球が、機構セット部材の裏側方向に転動落下するのを防止することが可能となり、該遊技球が転動落下して電気部品などに接触することを防止でき、更なる信頼性の高い遊技機を提供することができる。
【００６２】
更に、請求項４に係る遊技機では、貯留供給部材は、供給口が形成される平面視左右方向に長い略長四角形の底面部と、この底面部の機構セット部材に対向しない三辺から上方に延出される水平視略コの字形の側壁部とから形成されるため、該貯留供給部材を樹脂成形によって容易に形成することができ、製造コストの削減化を図ることができる遊技機を提供することができる。また、機構セット部材側の側壁部がないため、機構セット部材の上端縁部に形成される斜面部と貯留供給部材の上端部との取り付け位置関係の位置精度を低くすることが可能となり、遊技機の製造コストの削減化及び組立作業効率の向上を図ることができる遊技機を提供することができる。
【図面の簡単な説明】
【図１】第１実施形態に係るパチンコ機全体を示した背面図である。
【図２】第１実施形態に係るパチンコ機全体を示した側面図である。
【図３】第１実施形態に係るパチンコ機の機構セット盤に賞球タンク等を取り付けた状態を示す正面図である。
【図４】第１実施形態に係るパチンコ機の機構セット盤の賞球タンクやタンクレール等を取り除いた状態を示す斜視図である。
【図５】第１実施形態に係るパチンコ機の機構セット盤の上端面部におけるパチンコ球の転動落下状態の一例を示す一部切欠側面図である。
【図６】第２実施形態に係るパチンコ機の機構セット盤に賞球タンク等を取り付けた状態を示す正面図である。
【図７】第２実施形態に係るパチンコ機の機構セット盤の賞球タンクやタンクレール等を取り除いた状態を示す斜視図である。
【図８】第２実施形態に係るパチンコ機の機構セット盤の上端面部におけるパチンコ球の転動落下状態の一例を示す要部拡大正面図である。
【図９】第３実施形態に係るパチンコ機の機構セット盤の上端面部におけるパチンコ球の転動落下状態の一例を示す一部切欠側面図である。
【図１０】第３実施形態に係るパチンコ機の賞球タンクの斜視図である。
【図１１】第４実施形態に係るパチンコ機の機構セット盤の上端面部におけるパチンコ球の転動落下状態の一例を示す一部切欠側面図である。
【図１２】第４実施形態に係るパチンコ機の賞球タンクの斜視図である。
【図１３】第５実施形態に係るパチンコ機の前枠の背面部に賞球タンクを取り付けた状態を模式的に示す斜視図である。
【図１４】第６実施形態に係るパチンコ機の前枠の背面部に賞球タンクを取り付けた状態を模式的に示す一部切欠側面図である。
【図１５】第７実施形態に係るパチンコ機の前枠の背面部に賞球タンクを取り付けた状態を模式的に示す一部切欠側面図である。
【図１６】第８実施形態に係るパチンコ機の前枠の背面部に賞球タンクを取り付けた状態を模式的に示す斜視図である。
【図１７】他の実施形態に係るパチンコ機の前枠の背面部に賞球タンクを取り付けた状態を模式的に示す斜視図である。
【符号の説明】
１、５５、７１、８１                パチンコ機
２                                  外枠
３                                  内枠
１８                                機構盤
２０、６０                          機構セット盤
２１、７２、８２、９５、１０１      賞球タンク
２２                                補給装置
２３                                タンクレール
５０、６３、９２、１０６            斜面部
５０Ａ、６４                        上方延出部
５０Ｂ、８４、９８、１０８          側壁部
６１、１０５Ｂ                      壁部
６２、１０７                        傾斜案内部
７２Ａ、８２Ａ、９５Ａ              連通孔
７３、８３、９６                    底面部
７４、９７                          前側壁部
７５                                左側壁部
７６                                右側壁部
７７                                後側壁部
Ｐ                                  パチンコ球
【図１】
2004350757.tif 000003
【図２】
2004350757.tif 000004
【図３】
2004350757.tif 000005
【図４】
2004350757.tif 000006
【図５】
2004350757.tif 000007
【図６】
2004350757.tif 000008
【図７】
2004350757.tif 000009
【図８】
2004350757.tif 000010
【図９】
2004350757.tif 000011
【図１０】
2004350757.tif 000012
【図１１】
2004350757.tif 000013
【図１２】
2004350757.tif 000014
【図１３】
2004350757.tif 000015
【図１４】
2004350757.tif 000016
【図１５】
2004350757.tif 000017
【図１６】
2004350757.tif 000018
【図１７】
2004350757.tif 000019